(57)【特許請求の範囲】
【請求項１】
第１の録音装置、及び前記第１の録音装置にカスケード接続された第２の録音装置を少なくとも備え、ミキサを有しない録音システムであって、
前記第１の録音装置及び前記第２の録音装置は、それぞれ、
ｍチャンネル（ｍは２以上の自然数）のアナログオーディオ入力端子と、
ｎチャンネル（ｍ＜ｎであり、ｎは４以上の自然数）のデジタル入力端子と、
ｎチャンネルのデジタル出力端子と、
操作部と、
前記ｎチャンネルのデジタル入力端子からデジタルオーディオ信号が入力され、前記ｍチャンネルのアナログオーディオ入力端子からアナログオーディオ信号が入力された場合に、前記アナログオーディオ信号をデジタル信号に変換し、前記デジタルオーディオ信号にエンベデッドして前記ｎチャンネルのデジタル出力端子から出力し、かつ、前記操作部によりモニタ出力すべきチャンネルが指示された場合に、前記デジタルオーディオ信号と前記アナログオーディオ信号をデジタル信号に変換して得られたデジタルオーディオ信号のうち指示されたチャンネルのデジタルオーディオ信号をアナログ信号に変換して出力する制御部と、
を備え、
前記第２の録音装置の前記ｎチャンネルのデジタル入力端子から入力される前記デジタルオーディオ信号は、前記第１の録音装置の前記ｎチャンネルのデジタル出力端子から出力されたデジタルオーディオ信号であり、
前記第２の録音装置の前記制御部は、前記第２の録音装置の前記操作部によりモニタ出力すべきチャンネルが指示された場合であって、指示された前記チャンネルが前記第１の録音装置の前記ｎチャンネルのいずれかに相当するときに、指示された前記チャンネルのデジタルオーディオ信号をアナログ信号に変換して出力する
ことを特徴とする録音システム。
【請求項２】
請求項１記載の録音システムにおいて、
前記デジタル入力端子はＨＤＭＩ入力端子であり、
前記デジタル出力端子はＨＤＭＩ出力端子である
ことを特徴とする録音システム。
【発明の詳細な説明】
【技術分野】
【０００１】
本発明は、録音装置に関し、特にカスケード接続時のオーディオ信号制御に関する。
【背景技術】
【０００２】
従来から、複数の録音装置をカスケード接続して、録音できるオーディオチャンネル数を拡張する技術が知られている。
【０００３】
特許文献１には、複数台のオーディオレコーダをシリアル伝送インタフェースで接続し、１台のマスタレコーダを設定することにより、マスタレコーダの動作に他のスレーブレコーダを同期させることについて記載されている。
【０００４】
特許文献２には、音声信号の記録時に、マスタ機器の基準クロックにスレーブ機器の基準クロックを同期させた状態で録音を行うことが記載されており、録音しようとするチャンネル数が多く１台のテープレコーダではトラック数が足りない場合に、複数台のマルチトラックテープレコーダを同期させて録音すること、及び複数台のマルチトラックテープレコーダをディジーチェーン接続することが記載されている。
【先行技術文献】
【特許文献】
【０００５】
【特許文献１】特開２００１−３５１３６６号公報
【特許文献２】特許第２５５５７４３号
【発明の概要】
【発明が解決しようとする課題】
【０００６】
複数の録音装置をカスケード接続（ディジーチェーン接続）し、そのうちの１台をマスタ機器、他をスレーブ機器としてマスタ機器を操作することでそれ以外のスレーブ機器を連動させ、オーディオチャンネル数を拡張することが可能であるが、拡張されたオーディオチャンネルに録音されているオーディオ信号をユーザがモニタ（視聴）するためには、さらにミキサに接続してミキサでモニタするか、それぞれの機器で個別にモニタするしか方法がなく、ユーザの使い勝手が良くない問題があった。
【０００７】
本発明の目的は、複数の録音装置をカスケード接続してオーディオチャンネル数を拡張するとともに、ミキサ等の他の機器を使用することなく、かつ、各機器で個別にモニタする必要もなく、任意のオーディオ信号をモニタすることができる録音装置を提供することにある。  
【課題を解決するための手段】
【０００８】
本発明は、第１の録音装置、及び前記第１の録音装置にカスケード接続された第２の録音装置を少なくとも備え、ミキサを有しない録音システムであって、前記第１の録音装置及び前記第２の録音装置は、それぞれ、ｍチャンネル（ｍは２以上の自然数）のアナログオーディオ入力端子と、ｎチャンネル（ｍ＜ｎであり、ｎは４以上の自然数）のデジタル入力端子と、ｎチャンネルのデジタル出力端子と、操作部と、前記ｎチャンネルのデジタル入力端子からデジタルオーディオ信号が入力され、前記ｍチャンネルのアナログオーディオ入力端子からアナログオーディオ信号が入力された場合に、前記アナログオーディオ信号をデジタル信号に変換し、前記デジタルオーディオ信号にエンベデッドして前記ｎチャンネルのデジタル出力端子から出力し、かつ、前記操作部によりモニタ出力すべきチャンネルが指示された場合に、前記デジタルオーディオ信号と前記アナログオーディオ信号をデジタル信号に変換して得られたデジタルオーディオ信号のうち指示されたチャンネルのデジタルオーディオ信号をアナログ信号に変換して出力する制御部とを備え、前記第２の録音装置の前記ｎチャンネルのデジタル入力端子から入力される前記デジタルオーディオ信号は、前記第１の録音装置の前記ｎチャンネルのデジタル出力端子から出力されたデジタルオーディオ信号であり、前記第２の録音装置の前記制御部は、前記第２の録音装置の前記操作部によりモニタ出力すべきチャンネルが指示された場合であって、指示された前記チャンネルが前記第１の録音装置の前記ｎチャンネルのいずれかに相当するときに、指示された前記チャンネルのデジタルオーディオ信号をアナログ信号に変換して出力する
ことを特徴とする。
【０００９】
本発明の１つの実施形態では、前記デジタル入力端子はＨＤＭＩ（登録商標）入力端子であり、前記デジタル出力端子はＨＤＭＩ出力端子である。
【発明の効果】
【００１１】
本発明によれば、複数の録音装置をカスケード接続してオーディオチャンネル数を拡張できるとともに、ミキサ等の他の機器を使用することなく、かつ、各機器で個別にモニタする必要もなく、任意のオーディオ信号をモニタできる。    
【図面の簡単な説明】
【００１２】
【図１】実施形態のカスケード接続された状態の録音装置の構成図である。
【図２】実施形態の録音装置の構成ブロック図である。
【発明を実施するための形態】
【００１３】
以下、図面に基づき本発明の実施形態について説明する。
【００１４】
図１は、本実施形態の録音装置１０を複数台カスケード接続した状態のシステム構成図である。図では３台の録音装置１０が一例として示されており、これらをそれぞれ録音装置１０ａ，１０ｂ，１０ｃとする。
【００１５】
録音装置１０ａ、１０ｂ、１０ｃは、基本的に同一構成であり、いずれも操作部、ＡＤ（アナログデジタルコンバータ）、マルチプレクサ（ＭＵＸ）、ＣＰＵ、メモリ、及びＨＤＭＩ（High-Definition Multimedia Interface）入出力端子を備える。録音装置１０ａ、１０ｂ、１０ｃは、有線あるいは無線のＨＤＭＩで接続され、図ではＨＤＭＩケーブルで接続される例を示す。録音装置１０ａ，１０ｂ，１０ｃは、それぞれＰＣＭレコーダであり、音声信号を非可逆圧縮しないリニアＰＣＭ：ＷＡＶフォーマットで記録する。但し、ＭＰ３等の非可逆圧縮形式に対応していてもよい。
【００１６】
また、録音装置１０ａ，１０ｂ，１０ｃは、それぞれアナログオーディオ入力端子を備え、例えば４ＣＨのアナログオーディオ信号を入力する。
【００１７】
１台目の録音装置１０ａは、４ＣＨのアナログオーディオ信号を入力し、これをＡＤでデジタルオーディオ信号に変換して、図示しないマルチプレクサを介してＨＤＭＩ信号としてＨＤＭＩケーブルを介して２台目の録音装置１０ｂに供給する。ＨＤＭＩでは、８ＣＨ分のオーディオチャンネルが規定されており、この８ＣＨのうちの４ＣＨにデジタルオーディオ信号をエンベデッドする。図では、これを４／８ＣＨとして示している。
【００１８】
２台目の録音装置１０ｂは、別の４ＣＨのアナログオーディオ信号を入力し、これをＡＤでデジタルオーディオ信号に変換する。そして、１台目の録音装置１０ａから供給されたＨＤＭＩ信号に含まれる４ＣＨ分のオーディオ信号に、当該デジタルオーディオ信号を図示しないマルチプレクサでエンベデッドしてＨＤＭＩ信号としてＨＤＭＩケーブルを介して３台目の録音装置１０ｃに供給する。１台目の録音装置１０ａからの４ＣＨオーディオ信号に加えてさらに４ＣＨオーディオ信号をエンベデッドするので、合計８ＣＨ分、つまり８／８ＣＨのオーディオ信号が３台目の録音装置１０ｃに供給される。
【００１９】
３台目の録音装置１０ｃは、さらに別の４ＣＨのアナログオーディオ信号を入力し、これをＡＤでデジタルオーディオ信号に変換する。そして、２台目の録音装置１０ｂから供給されたＨＤＭＩ信号に含まれる８ＣＨ分のオーディオ信号と、当該デジタルオーディオ信号をマルチプレクサ１３６に入力する。マルチプレクサ１３６は、ユーザの操作に応じ、合計１２ＣＨ分のオーディオ信号から、モニタすべき２ＣＨのオーディオ信号と、さらに下流に接続された機器に供給すべき８ＣＨのオーディオ信号を選択し、モニタすべき２ＣＨのオーディオ信号についてはアナログオーディオ信号に変換してモニタ出力として外部に出力する。８ＣＨのオーディオ信号は、ＨＤＭＩ信号としてさらに下流のＨＤＭＩ機器に供給される。
【００２０】
図２は、本実施形態の録音装置１０（録音装置１０ａ，１０ｂ，１０ｃ）の構成ブロック図である。録音装置１０は、ＨＤＭＩ入力端子（ＨＤＭＩＩＮ）１３０、ＨＤＭＩ出力端子（ＨＤＭＩＯＵＴ）１３２、ＨＤＭＩレシーバ１０３、ＨＤＭＩトランスミッタ１４０、ＣＰＵ１０２、ＣＰＬＤ（コンプレックスプログラマブルロジックデバイス）１３４、オーディオＣＯＤＥＣ１０４、及びマルチプレクサ（ＭＵＸ）１３６を備える。
【００２１】
ＨＤＭＩ入力端子１３０は、ＨＤＭＩケーブルを介して他の録音装置１０と接続される。
【００２２】
ＨＤＭＩレシーバ１０３は、ＨＤＭＩケーブルを介して他の録音装置１０から伝送されたＴＭＤＳ信号、ＴＭＤＳクロック信号から、ＬＲＣＫ信号、ＢＣＬＫ（又はＳＣＬＫ）信号、データ信号、及びＭＣＬＫ信号を出力する。ＨＤＭＩレシーバ１０３には、Ｉ２ＣバスでＣＰＵ１０２が接続され、ＣＰＵ１０２はＨＤＭＩレシーバ１０３の動作を制御する。ＨＤＭＩレシーバ１０３は、データ信号に含まれるオーディオ信号をＣＰＬＤ１３４に供給する。
【００２３】
ＣＰＬＤ１３４は、オーディオ信号をマルチプレクサ（ＭＵＸ）１３６に出力する。他方、マイク等から入力された４ＣＨのアナログオーディオ信号はオーディオＣＯＤＥＣ１０４でデジタル信号に変換されてＣＰＬＤ１３４に供給される。以下、説明の都合上、ＨＤＭＩ信号に含まれるオーディオ信号をＨＤＭＩオーディオ信号と称し、マイク等からのオーディオ信号を入力オーディオ信号と称して区別する。
【００２４】
操作部１４２は、ユーザ操作可能なボタンやセレクタ、あるいはタッチスイッチ等で構成され、ユーザは操作部１４２を操作することでモニタ出力の有無、及びモニタすべきオーディオＣＨの選択を行う。操作部１４２からの操作信号は、ＣＰＵ１０２に供給される。
【００２５】
ＣＰＵ１０２は、フラッシュメモリ１１０及びＳＤＲＡＭ１１１をそれぞれプログラムメモリ及びワーキングメモリとして、処理プログラムを読み出して所定の処理を実行する。すなわち、ＣＰＵ１０２は、例えば、図示しないＳＤカードコネクタに装着されたＳＤカードメモリにオーディオデータを記憶する。また、ＣＰＵ１０２は、操作部１４２からの操作信号に応じ、ＣＰＬＤ１３４のマルチプレクサ１３６を制御して、ＨＤＭＩオーディオ信号に入力オーディオ信号をエンベデッドする。あるいは、ＣＰＵ１０２は、操作部１４２からの操作信号に応じ、ＨＤＭＩオーディオ信号と入力オーディオ信号からモニタすべきＣＨのオーディオ信号を選択してオーディオＣＯＤＥＣ１０４に出力し、さらに下流の機器に供給すべき８ＣＨのＨＤＭＩオーディオ信号を選択してＨＤＭＩトランスミッタ１４０に出力する。
【００２６】
ＨＤＭＩトランスミッタ１４０は、ＨＤＭＩオーディオ信号を含むＴＭＤＳ信号、ＴＭＤＳクロック信号をＨＤＭＩ出力端子１３２を介して他の機器、例えば他の録音装置１０に出力する。
【００２７】
オーディオＣＯＤＥＣ１０４は、入力されたアナログオーディオ信号に対し、ＡＤ変換、符号化を含む各種処理を実行し、ＣＰＵ１０２を経由してＳＤカードメモリに記憶して録音する。また、ＳＤカードメモリに記憶された音声データをＣＰＵ１０２を経由して読み出し、復号化及びＤＡ変換して、アナログ音声信号として出力する。また、オーディオＣＯＤＥＣ１０４は、マルチプレクサ１３６から供給されたモニタ用のオーディオ信号をアナログ信号に変換してモニタ出力として外部出力する。
【００２８】
ディスプレイ１４４は、液晶パネルや有機ＥＬパネルで構成され、ＣＰＵ１０２からの指令に応じ、操作部１４２で操作されたモニタ選択状態やＨＤＭＩオーディオ信号のＣＨアサイン状態を表示する。
【００２９】
具体的には、以下の通りである。
【００３０】
いま、図１に即して３台の録音装置１０ａ，１０ｂ，１０ｃがＨＤＭＩケーブルでカスケード接続されているものとする。
【００３１】
１台目の録音装置１０ａ及び２台目の録音装置１０ｂの操作部１４２ではモニタ出力がＯＦＦされており、３台目の録音装置１０ｃの操作部１４２ではモニタ出力がＯＮされ、モニタすべきＣＨとして第９ＣＨ及び第１０ＣＨが選択され、かつＨＤＭＩ信号のオーディオＣＨとして第１ＣＨ〜第８ＣＨがアサインされているものとする。
【００３２】
このとき、１台目の録音装置１０ａのＣＰＵ１０２は、モニタ出力がＯＦＦされているので、４ＣＨ（あるいはそれ以下でもよいが）の入力オーディオ信号をマルチプレクサ１３６でＨＤＭＩ信号のオーディオＣＨにエンベデッドしてＨＤＭＩトランスミッタ１４０に出力する。エンベデッドする際には、８ＣＨ分のオーディオＣＨのうち第１ＣＨから順次エンベデッドするものとして、入力オーディオ信号が４ＣＨであれば第１ＣＨ〜第４ＣＨにエンベデッドする。
【００３３】
また、２台目の録音装置１０ｂのＣＰＵ１０２は、モニタ出力がＯＦＦされているので、４ＣＨの入力オーディオ（あるいはそれ以下でもよいが）の入力オーディオ信号をマルチプレクサ１３６でＨＤＭＩ信号のオーディオＣＨにエンベデッドしてＨＤＭＩトランスミッタ１４０に出力する。エンベデッドする際には、第１ＣＨ〜第４ＣＨには既に１台目の録音装置１０ａがエンベデッドしたオーディオ信号が存在するので、第５ＣＨ〜第８ＣＨに入力オーディオ信号をエンベデッドする。
【００３４】
他方、３台目の録音装置１０ｃのＣＰＵ１０２は、モニタ出力がＯＮされ、モニタすべきＣＨとして第９ＣＨ及び第１０ＣＨが選択され、かつＨＤＭＩ信号のオーディオＣＨとして第１ＣＨ〜第８ＣＨがアサインされているので、マルチプレクサ１３６で４ＣＨ（あるいはそれ以下でもよいが）の入力オーディオ信号のうちの第９ＣＨと第１０ＣＨを選択してオーディオＣＯＤＥＣ１０４に出力し、かつ８ＣＨのＨＤＭＩオーディオ信号をＨＤＭＩトランスミッタ１４０に出力する。また、３台目の録音装置１０ｃのディスプレイ１４４には、操作部１４２での操作に応じ、第９ＣＨ及び第１０ＣＨのオーディオ信号がモニタ出力されること、及び第１ＣＨ〜第８ＣＨがＨＤＭＩオーディオ信号としてアサインされていることが表示される。
【００３５】
３台目の録音装置１０ｃにおいて、ユーザが操作部１４２を操作してモニタすべきＣＨとして第１ＣＨ及び第２ＣＨが選択された場合、ＣＰＵ１０２は操作部１４２からの操作に応じてマルチプレクサ１３６を制御し、ＨＤＭＩオーディオ信号のうちの第１ＣＨ及び第２ＣＨのオーディオ信号を選択してオーディオＣＯＤＥＣ１０４に出力する。このことは、第１ＣＨ及び第２ＣＨのオーディオ信号は、１台目の録音装置１０ａで入力されたものであるが、これらのオーディオ信号を３台目の録音装置１０ｃでモニタできることを意味するものである。また、ユーザが操作部１４２を操作してモニタすべきＣＨとして第５ＣＨ及び第６ＣＨが選択された場合、ＣＰＵ１０２は操作部１４２からの操作に応じてマルチプレクサ１３６を制御し、ＨＤＭＩオーディオ信号のうちの第５ＣＨ及び第６ＣＨのオーディオ信号を選択してオーディオＣＯＤＥＣ１０４に出力する。このことは、第５ＣＨ及び第６ＣＨのオーディオ信号は、２台目の録音装置１０ｂで入力されたものであるが、これらのオーディオ信号を３台目の録音装置１０ｃでモニタできることを意味するものである。
【００３６】
このように、本実施形態では、複数の録音装置１０をカスケード接続可能とし、各録音装置１０に操作部１４２を設けてモニタ出力の有無及びモニタ出力すべきオーディオＣＨを選択できるように構成し、モニタ出力有が選択された録音装置１０のＣＰＵ１０２がマルチプレクサ１３６を制御して複数ＣＨのオーディオ信号から選択されたＣＨのオーディオ信号を選択してモニタ出力するように構成したので、ミキサ等に接続してミキサでモニタする必要がなく、かつそれぞれの機器で個別にモニタする必要もなく、カスケード接続された最終段の録音装置１０（図１の例では録音装置１０ｃ）のみで任意のＣＨのオーディオ信号を容易にモニタすることができる。
【００３７】
なお、２台目の録音装置１０ｂにおいて、ユーザが操作部１４２を操作してモニタＯＮとした場合、ユーザは１台目の入力オーディオ信号と２台目のオーディオ信号のいずれかをモニタできることは言うまでもない。
【００３８】
本実施形態では、３台の録音装置１０ａ，１０ｂ，１０ｃを例示したが、勿論これに限定されるものではなく、２台、あるいは必要に応じて４台以上をカスケード接続してもよい。カスケード接続された録音装置１０のいずれかをマスタ機器（例えば録音装置１０ａ）、その他の機器をスレーブ機器として、マスタ機器の動作に連動させてスレーブ機器の動作を同期させてもよい。また、本実施形態では、録音装置１０ａ，１０ｂ，１０ｃで入力オーディオ信号をエンベデッドすべきオーディオＣＨを予め設定しているが、録音装置１０ａ，１０ｂ，１０ｃのＣＰＵ１０２でＨＤＭＩオーディオＣＨのうちオーディオ信号がエンベデッドされているＣＨを検知し、それ以外のＣＨに入力オーディオ信号をエンベデッドするように構成してもよい。
【００３９】
さらに、本実施形態では、複数の録音装置１０をＨＤＭＩ接続する場合を例示したが、必ずしもこれに限定されるものではなく、他の接続方式（例えばＭＡＤＩ等）で接続してもよい。本実施形態では、ＨＤＭＩ接続されることを前提として、４ＣＨレコーダで最大８ＣＨのデジタル入出力を有する録音装置１０を例示したが、ＣＨ数はこれに限定されないのも言うまでもない。一般的にｍＣＨレコーダで最大ｎＣＨのデジタル入出力を有する録音装置に適用し得る（但し、ｍ＜ｎであり、ｍは２以上、ｎは４以上の自然数）。ｍ、ｎの組合せの例としては、（ｍ，ｎ）＝（２，４）、（２，８）、（４，８）、（４，１２）等である。
【符号の説明】
【００４０】
１０，１０ａ，１０ｂ，１０ｃ  録音装置、１０２  ＣＰＵ、１０３  ＨＤＭＩレシーバ、１０４  オーディオＣＯＤＥＣ、１３０  ＨＤＭＩ入力端子、１３２  ＨＤＭＩ出力端子、１３４  ＣＰＬＤ（コンプレックスプログラマブルロジックデバイス）、１３６  マルチプレクサ（ＭＵＸ）、１４０  ＨＤＭＩトランスミッタ、１４２  操作部、１４４  ディスプレイ。
【図１】
0006485271.tif 000002
【図２】
0006485271.tif 000003